(57)【要約】【課題】先端が曲面状に形成された締結部を有する屋根材であっても、野地板との締結力を十分に発揮することができると共に、太陽光パネルを強固に固定すること。【解決手段】太陽光電池パネルＰを下方側から支持するベース部材２１と、ベース部材２１に設けられ、凸条係合部Ｔを挟持するブラケット２２と、ブラケット２２を挟持方向へ締め付ける締付ボルト２３と、ベース部材２１と凸条係合部Ｔとの間に配置され、凸条係合部Ｔを上側から覆う鞍型のカバー部材３０と、カバー部材３０の上部にその下端が設けられ、上端が前記ベース部材に貫通するネジ案内パイプ４０と、ブラケット２２間に配置され、ネジ案内パイプ４０の外側面に取り付けられ、締付ボルト２３を挿通するボルト案内パイプ５０と、ネジ案内パイプ４０に案内され、カバー部材３０及び凸条係合部Ｔを介して野地板Ｎに締結するネジ部材６０を備えている。【選択図】図３
2019027156.tif 000002
【特許請求の範囲】
【請求項１】
両端部にそれぞれ被係合凸部及び係合凸部を有する複数の屋根材を一方の係合凸部を他方の被係合凸部に挿入して凸条係合部を形成し、屋根上構造物を前記屋根材と共に野地板に締結する共に屋根上構造物固定金具において、
前記屋根上構造物を下方側から支持するベース部材と、
このベース部材に設けられ、前記凸条係合部を挟持するブラケットと、
このブラケットを挟持方向へ締め付ける締付ボルトと、
前記ベース部材と前記凸条係合部との間に配置され、前記凸条係合部を上側から覆う鞍型のカバー部材と、
このカバー部材の上部にその下端が設けられ、上端が前記ベース部材に貫通するネジ案内パイプと、
前記ブラケット間に配置され、前記ネジ案内パイプの外側面に取り付けられ、前記締付ボルトを挿通するボルト案内パイプと、
前記ネジ案内パイプに案内され、前記カバー部材及び前記凸条係合部を介して前記野地板に締結するネジ部材を備えている屋根上構造物固定金具。
【請求項２】
前記カバー部材の底部には緩衝材が配置されている請求項１に記載の屋根上構造物固定金具。
【請求項３】
前記ネジ案内パイプは、前記ベース部材側に固定された上部パイプと、前記カバー部材側に固定された下部パイプとを有し、前記上部パイプと前記下部パイプとは、挿脱自在に形成されている請求項１に記載の屋根上構造物固定金具。
【請求項４】
両端部にそれぞれ被係合凸部及び係合凸部を有する複数の屋根材を一方の係合凸部を他方の被係合凸部に挿入して凸条係合部を形成し、屋根上構造物を前記屋根材と共に野地板に締結する共に屋根上構造物固定金具において、
前記屋根上構造物を下方側から支持するベース部材と、
このベース部材に設けられ、前記凸条係合部を挟持するブラケットと、
このブラケットを挟持方向へ締め付ける締付ボルトと、
前記ベース部材と前記凸条係合部との間に配置され、前記凸条係合部を上側から覆う鞍型のカバー部材と、
このカバー部材の上部にその下端が設けられ、上端が前記ベース部材に貫通するネジ案内パイプと、
前記ブラケット間に配置され、前記ネジ案内パイプの外側面に取り付けられ、前記締付ボルトを挿通するボルト案内パイプと、
前記ベース部材の上面側に、前記ネジ案内パイプと同軸的に設けられた緩衝材製の筒体と、
前記筒体及び前記ネジ案内パイプに案内され、前記カバー部材及び前記凸条係合部を介して前記野地板に締結するネジ部材を備えている屋根上構造物固定金具。
【請求項５】
前記カバー部材の底部には緩衝材が配置されている請求項４に記載の屋根上構造物固定金具。
【請求項６】
前記ネジ案内パイプは、前記ベース部材側に固定された上部パイプと、前記カバー部材側に固定された下部パイプとを有し、前記上部パイプと前記下部パイプとは、挿脱自在に形成されている請求項４に記載の屋根上構造物固定金具。
【発明の詳細な説明】
【技術分野】
【０００１】
本発明は、野地板上に取り付けられる屋根材と、野地板及び屋根材上に配置される太陽光パネル等の屋根上構造物とを強固に取り付けるための屋根上構造物固定金具に関する。
【背景技術】
【０００２】
家屋の野地板上には屋根材が配置され、受けた雨水を軒先側に流している。野地板の軒先側には、軒先用の水切り部材が設けられており、屋根材上を流れた雨水を破風板の先方位置（例えば、雨樋等）に案内する機能を有している（例えば、特許文献１参照。）。屋根材として、図１４に示すような、低コスト、かつ、施工容易性を兼ね備えた屋根材Ｙが知られている。なお、図１４は軒先側から見た図である。
【０００３】
屋根材Ｙは、野地板Ｎに積層される平面部Ｙａ及び右端部に位置する固定部Ｙｂを有し、平面部Ｙａの左側端部に設けられた被係合凸部Ｔａ及び右側端部に設けられた係合凸部Ｔｂを備えている。被係合凸部Ｔａ及び係合凸部Ｔｂは、いずれも茸型をしているため、茸型締結部と称している。屋根材Ｙを野地板Ｎ上に施工する場合、平面部Ｙａを野地板Ｎ上に位置決めした後、固定部ＹｂをビスＢで野地板Ｎに固定する。ネジ留めの間隔は、屋根材の種類によってほぼ一定間隔に定められている（例えば、４５５ｍｍ）。そして、図１４中左側の１枚目の係合凸部Ｔｂに、右側に位置する２枚目の被係合凸部Ｔａを被せることで係合する。被係合凸部Ｔａと係合凸部Ｔｂとが結合することで、棟側から軒先側に向けて桟状の凸条係合部Ｔが形成される。
【０００４】
このような屋根材Ｙ上に、太陽光電池パネルＰ等の屋根上構造物を設置する場合、図１５に示すように、太陽光電池パネルＰを屋根材Ｙの凸条係合部Ｔに太陽電池パネル留め金具１００Ｘ（屋根上構造物固定金具）にボルト１１０及びブラケット１２０を介して固定する場合がある。太陽電池パネル留め金具１００Ｘは太陽光電池パネルＰの寸法に応じた所定間隔で設けられる。
【先行技術文献】
【特許文献】
【０００５】
【特許文献１】特開２００９−１５００８９号公報
【発明の概要】
【発明が解決しようとする課題】
【０００６】
上述した屋根上構造物固定金具では、次のような問題があった。すなわち、一旦、屋根材Ｙの施工をしてしまうと、屋根材Ｙを野地板Ｎ上に止め付けるためのビスＢがどの位置にあるかが、判別できなくなる。このような状態で、太陽電池パネル留め金具１００Ｘを凸条係合部Ｔに固定すると、例えば、図１６及び図１７に示すように、屋根材Ｙを留めるビスＢの間に太陽電池パネル留め金具１００Ｘが設置された場合は、上下２本のビスＢに力がかかり、屋根材ＹがたわみビスＢが抜けにくい。一方、図１７及び図１８に示すように、屋根材Ｙを留めるビスＢの上に太陽電池パネル留め金具１００Ｘが設置されるとビスＢ１本に引っ張り上げられる力がかかり、ビスＢが抜けやすい。
【０００７】
なお、凸条係合部Ｔは先端が曲面であるため、ネジをねじ込もうとすると、凸条係合部Ｔの先端の面で滑ってしまい凸条係合部Ｔに刺さりにくく、または、垂直方向にねじ込むことができないことから十分な固定力を発揮させることができない。したがって、凸条係合部Ｔの位置でネジで固定することは行われていなかった。
【０００８】
そこで本発明は、先端が曲面状に形成された締結部を有する屋根材であっても、野地板との締結力を十分に発揮することができると共に、屋根上構造物を強固に固定することができる屋根上構造物を提供することを目的としている。
【課題を解決するための手段】
【０００９】
前記課題を解決し目的を達成するために、本発明の屋根上構造物固定金具は次のように構成されている。
【００１０】
両端部にそれぞれ被係合凸部及び係合凸部を有する複数の屋根材を一方の係合凸部を他方の被係合凸部に挿入して凸条係合部を形成し、屋根上構造物を前記屋根材と共に野地板に締結する共に屋根上構造物固定金具において、前記屋根上構造物を下方側から支持するベース部材と、このベース部材に設けられ、前記凸条係合部を挟持するブラケットと、このブラケットを挟持方向へ締め付ける締付ボルトと、前記ベース部材と前記凸条係合部との間に配置され、前記凸条係合部を上側から覆う鞍型のカバー部材と、このカバー部材の上部にその下端が設けられ、上端が前記ベース部材に貫通するネジ案内パイプと、前記ブラケット間に配置され、前記ネジ案内パイプの外側面に取り付けられ、前記締付ボルトを挿通するボルト案内パイプと、前記ネジ案内パイプに案内され、前記カバー部材及び前記凸条係合部を介して前記野地板に締結するネジ部材を備えている。
【００１１】
両端部にそれぞれ被係合凸部及び係合凸部を有する複数の屋根材を一方の係合凸部を他方の被係合凸部に挿入して凸条係合部を形成し、屋根上構造物を前記屋根材と共に野地板に締結する共に屋根上構造物固定金具において、前記屋根上構造物を下方側から支持するベース部材と、このベース部材に設けられ、前記凸条係合部を挟持するブラケットと、このブラケットを挟持方向へ締め付ける締付ボルトと、前記ベース部材と前記凸条係合部との間に配置され、前記凸条係合部を上側から覆う鞍型のカバー部材と、このカバー部材の上部にその下端が設けられ、上端が前記ベース部材に貫通するネジ案内パイプと、前記ブラケット間に配置され、前記ネジ案内パイプの外側面に取り付けられ、前記締付ボルトを挿通するボルト案内パイプと、前記ベース部材の上面側に、前記ネジ案内パイプと同軸的に設けられた緩衝材製の筒体と、前記筒体及び前記ネジ案内パイプに案内され、前記カバー部材及び前記凸条係合部を介して前記野地板に締結するネジ部材を備えている。
【発明の効果】
【００１２】
本発明によれば、先端が曲面状に形成された締結部を有する屋根材であっても、十分に野地板との締結力を発揮することができると共に、太陽光パネルを強固に固定することが可能となる。
【図面の簡単な説明】
【００１３】
【図１】本発明の第１の実施の形態に係る太陽電池パネル留め金具が取り付けられた屋根構造の要部を示す側面図。
【図２】同太陽電池パネル留め金具を一部切欠して示す側面図。
【図３】同太陽電池パネル留め金具の締結状態を示す正面図。
【図４】同太陽電池パネル留め金具の締結状態を示す斜視図。
【図５】同太陽電池パネル留め金具に組み込まれた締付ボルト、ボルト案内パイプ、ネジ案内パイプ、カバー部材を示す斜視図。
【図６Ａ】同太陽電池パネル留め金具の締結手順を示す説明図。
【図６Ｂ】同太陽電池パネル留め金具の締結手順を示す説明図。
【図７Ａ】同太陽電池パネル留め金具の締結手順を示す説明図。
【図７Ｂ】同太陽電池パネル留め金具の締結手順を示す説明図。
【図８】本発明の第２の実施の形態に係る太陽電池パネル留め金具を一部切欠して示す側面図。
【図９】本発明の第３の実施の形態に係る太陽電池パネル留め金具を一部切欠して示す側面図。
【図１０】同太陽電池パネル留め金具の締結状態を示す正面図。
【図１１】同太陽電池パネル留め金具の締結状態を示す斜視図。
【図１２】引張試験装置の構成を概略的に示す説明図。
【図１３】同引張試験装置による試験結果を示す説明図。
【図１４】茸型の係合部を有する屋根材の取付状態を示す説明図。
【図１５】同屋根材を用いた屋根構造の要部を示す側面図。
【図１６】同屋根材を用いた屋根構造の要部を示す側面図。
【図１７】同屋根材を用いた屋根構造の要部を示す側面図。
【図１８】同屋根材を用いた屋根構造の要部を示す側面図。
【発明を実施するための形態】
【００１４】
図１〜図４は本発明の第１の実施の形態を示す図である。なお、図中Ｎは野地板、Ｙは屋根材、Ｔは屋根材の凸条係合部、Ｂはビス、Ｐは太陽光電池パネル、Ｆはブラケットを示している。
【００１５】
図１に示すように、野地板Ｎ上に屋根材Ｙが設置されている。屋根材Ｙは、野地板Ｎに積層される平面部Ｙａ及び右端部に位置する固定部Ｙｂを有し、平面部Ｙａの左側端部に設けられた被係合凸部Ｔａ及び右側端部に設けられた係合凸部Ｔｂを備えている（図６参照）。被係合凸部Ｔａ及び係合凸部Ｔｂは、いずれも先端が曲面状に形成された茸型をしているため、茸型締結部と称している。
【００１６】
図２及び図３に示すように、太陽電池パネル留め金具（屋根上構造物固定金具）１０は、パネル留め金具２０と、凸条係合部Ｔを上側から覆う鞍型のカバー部材３０と、このカバー部材３０の上部に鉛直方向に設けられたネジ案内パイプ４０と、このネジ案内パイプ４０の外側面に水平方向に設けられたボルト案内パイプ５０と、ネジ案内パイプ４０に案内され、カバー部材３０を介して野地板Ｎに締結するネジ部材６０を備えている。
【００１７】
パネル留め金具２０は、ベース部材２１と、このベース部材２１の下面に設けられた一対のブラケット２２と、このブラケット２２を締め付ける２本の締付ボルト２３と、ベース部材２１に設けられた脚部２５とを備えている。ベース部材２１には太陽光電池パネルＰをブラケットＦを介して取り付けるための取付ボルト２６が設けられている。ブラケット２２は、凸条係合部Ｔを側面から挟み込み、締付ボルト２３を締め付けることで強固に凸条係合部Ｔに取り付けられる。
【００１８】
カバー部材３０は、屋根材Ｙ側が開口した鞍状に形成され、凸条係合部Ｔを覆うカバー本体３１を備えている。カバー本体３１の内側上部にはゴムやスポンジ等で形成された緩衝材３２が配設されている。
【００１９】
ネジ案内パイプ４０は、その上端がベース部材２１を貫通する上側パイプ４１と、その下端がカバー部材３０の頂部に接合された下部パイプ４２から構成されている。上側パイプ４１と下部パイプ４２とは、挿脱自在に形成されており、ベース部材２１とカバー部材３０との間を伸縮自在につないでいる。ボルト案内パイプ５０は、ブラケット２２内部に配置され、上述した締付ボルト２３が挿入される。図５は、締付ボルト２３、ボルト案内パイプ５０、ネジ案内パイプ４０、カバー部材３０の位置関係を示している。
【００２０】
ネジ部材６０は、先端側にネジが切られ、基端側にはネジが切られていない構造を有しており、ネジ案内パイプ４０の上端からからカバー部材３０及び凸状係合部Ｔの頂部に向けて挿入され、屋根材Ｙ及び野地板Ｎに締結される。
【００２１】
このように構成された太陽電池パネル留め金具１０は、次のように用いる。最初に、屋根材Ｙを野地板Ｎに締結する。すなわち、屋根材Ｙの平面部Ｙａを野地板Ｎ上に位置決めした後、固定部ＹｂをビスＢで野地板Ｎに固定する。ネジ留めの間隔は、例えば、４５５ｍｍ等の寸法で一定に設定されている。左側の１枚目の係合凸部Ｔｂに、右側に位置する２枚目の被係合凸部Ｔａを被せることで係合する。被係合凸部Ｔａと係合凸部Ｔｂとが結合することで、棟側から軒先側に向けて桟状の凸条係合部Ｔが形成される。このようにして野地板Ｎ上に全ての屋根材Ｙを設置する。
【００２２】
次に、太陽電池パネル留め金具１０を屋根材Ｙに取り付ける。パネル留め金具２０のブラケット２２を凸条係合部Ｔに被せると同時に、カバー部材３０を凸条係合部Ｔの上方から差し込む。図６Ａに示すように、締付ボルト２３をボルト案内パイプ５０に挿入して、ブラケット２２によって凸条係合部Ｔを挟む。図６Ｂに示すように、締付ボルト２３をねじ込んで行くと、被係合凸部Ｔａの頂部はブラケット２２によって周囲が押さえられ、固定される。この時、ブラケット２２の間隔がボルト案内パイプ５０の全長と同じ寸法になった時点で締付ボルト２３の締め込みは完了する。これにより、締付ボルト２３の締め込み過ぎによるブラケット２２や凸条係合部Ｔの破壊を防止する。
【００２３】
次に、図７Ａに示すように、ネジ案内パイプ４０にネジ部材６０をベース部材２１側から通して、カバー部材３０の頂部に当接した時点でねじ込んでゆく。さらに、ネジ部材６０をねじ込んでいくと、ネジ部材６０の先端は被係合凸部Ｔａの曲面状の先端に当接するが、鞍型のカバー部材３０は、ブラケット２２によって挟み込まれて固定されることで、カバー部材３０の頂部に接合された下部パイプ４２は前後左右への動きが規制され、このカバー部材３０に周囲を挟まれた被係合凸部Ｔａについても側方への移動が規制されているため、図７Ｂに示すように、ネジ部材６０は被係合凸部Ｔａに孔開けしながら挿入することができる。さらにネジ部材６０をねじ込むと、ネジ部材６０の先端は野地板Ｎに達する。そして、ネジ部材６０の頂部がベース部材２１に当接し、その時点でねじ込みは終了する。ネジ部材６０によって、太陽電池パネル留め金具１０と、凸条係合部Ｔ及び野地板Ｎは強固に固定されることとなる。
【００２４】
最後に、太陽電池パネル留め金具１０に設けられた取付ボルト２６によって太陽光電池パネルＰの周縁に設けられたフレームＦを固定する。
【００２５】
このように構成された太陽電池パネル留め金具１０によれば、野地板Ｎに屋根材Ｙを取り付けるビスＢの位置に関わらず、太陽光電池パネルＰに上向きの外力が加わった際に、最も力が加わる太陽電池パネル留め金具１０の位置において強固に締結することができるので、屋根材Ｙが野地板Ｎから外れることを防止することができる。また、先端が曲面状に形成された凸条係合部Ｔであっても、凸条係合部Ｔの曲面でネジ部材６０が滑り、斜めに締結されることがないため、十分に野地板Ｎとの締結力を発揮することが可能となる。
【００２６】
図８は本発明の第２の実施の形態に係る太陽電池パネル留め金具１０Ａを一部切欠して示す側面図である。なお、この図において、図１〜図４と同一機能部分には同一符号を付し、その詳細な説明は省略する。
【００２７】
太陽電池パネル留め金具１０Ａは、太陽電池パネル留め金具１０に対し、締付ボルト２３を１箇所に設けている点で異なっている。
【００２８】
太陽電池パネル留め金具１０Ａにおいても、上述した太陽電池パネル留め金具１０Ａと同様に締付ボルト２３とネジ部材６０により、太陽電池パネル留め金具１０Ａと屋根材Ｙ及び野地板Ｎを強固に固定することができる。
【００２９】
図９は本発明の第３の実施の形態に係る太陽電池パネル留め金具１０Ｂを一部切欠して示す側面図、図９は太陽電池パネル留め金具１０Ｂの締結状態を示す正面図、図１１は太陽電池パネル留め金具１０Ｂの締結状態を示す斜視図である。これらの図において、図１〜図４と同一機能部分には同一符号を付し、その詳細な説明は省略する。
【００３０】
図９及び図１０に示すように、太陽電池パネル留め金具１０Ｂは、パネル留め金具２０と、凸条係合部Ｔを上側から覆う鞍型のカバー部材３０と、このカバー部材３０の上部に鉛直方向に設けられたネジ案内パイプ４０と、このネジ案内パイプ４０の外側面に水平方向に設けられたボルト案内パイプ５０と、ベース部材２１の上面側に、ネジ案内パイプ４０と同軸的に設けられた樹脂材（緩衝材）製の筒体７０と、これら筒体７０及びネジ案内パイプ４０に案内され、カバー部材３０及び凸条係合部Ｔを介して野地板Ｎに締結するネジ部材６０Ａを備えている。なお、筒体７０の材質としては、適当な弾力と水に対するシール性を有するものであることが好ましく、例えば、ゴム樹脂やスポンジ樹脂を用いる。また、軸方向の長さ（高さ）は、屋根材Ｙの種類等に応じて適宜調節することが可能であるが、例えば、５〜１０ｍｍ程度が好ましい。
【００３１】
パネル留め金具２０は、ベース部材２１と、このベース部材２１の下面に設けられた一対のブラケット２２と、このブラケット２２を締め付ける２本の締付ボルト２３と、ベース部材２１に設けられた脚部２５とを備えている。ベース部材２１には太陽光電池パネルＰをブラケットＦを介して取り付けるための取付ボルト２６が設けられている。ブラケット２２は、凸条係合部Ｔを側面から挟み込み、締付ボルト２３を締め付けることで強固に凸条係合部Ｔに取り付けられる。
【００３２】
カバー部材３０は、屋根材Ｙ側が開口した鞍状に形成され、凸条係合部Ｔを覆うカバー本体３１を備えている。カバー本体３１の内側上部にはゴムやスポンジ等で形成された緩衝材３２が配設されている。
【００３３】
ネジ案内パイプ４０は、その上端がベース部材２１を貫通している。ボルト案内パイプ５０は、ブラケット２２内部に配置され、上述した締付ボルト２３が挿入される。
【００３４】
ネジ部材６０Ａは、先端側にネジが切られ、基端側にはネジが切られていない構造を有しており、筒体７０の上端から、ネジ案内パイプ４０を介してカバー部材３０及び凸状係合部Ｔの頂部に向けて挿入され、屋根材Ｙ及び野地板Ｎに締結される。
【００３５】
このように構成された太陽電池パネル留め金具１０Ｂは、次のように用いる。最初に、屋根材Ｙを野地板Ｎに締結する。すなわち、屋根材Ｙの平面部Ｙａを野地板Ｎ上に位置決めした後、固定部ＹｂをビスＢで野地板Ｎに固定する。ネジ留めの間隔は、例えば、４５５ｍｍ等の寸法で一定に設定されている。左側の１枚目の係合凸部Ｔｂに、右側に位置する２枚目の被係合凸部Ｔａを被せることで係合する。被係合凸部Ｔａと係合凸部Ｔｂとが結合することで、棟側から軒先側に向けて桟状の凸条係合部Ｔが形成される。このようにして野地板Ｎ上に全ての屋根材Ｙを設置する。
【００３６】
次に、太陽電池パネル留め金具１０Ｂを屋根材Ｙに取り付ける。パネル留め金具２０のブラケット２２を凸条係合部Ｔに被せると同時に、カバー部材３０を凸条係合部Ｔの上方から差し込む。締付ボルト２３をボルト案内パイプ５０に挿入して、ブラケット２２によって凸条係合部Ｔを挟む。締付ボルト２３をねじ込んで行くと、被係合凸部Ｔａの頂部はブラケット２２によって周囲が押さえられ、固定される。この時、ブラケット２２の間隔がボルト案内パイプ５０の全長と同じ寸法になった時点で締付ボルト２３の締め込みは完了する。これにより、締付ボルト２３の締め込み過ぎによるブラケット２２や凸条係合部Ｔの破壊を防止する。
【００３７】
次に、筒体７０の上端側からネジ部材６０Ａを挿入し、ベース部材２１に達したら、さらにネジ案内パイプ４０に挿入する。そして、ネジ部材６０Ａの先端がカバー部材３０の頂部に当接した時点でねじ込んでゆく。さらに、ネジ部材６０Ａをねじ込んでいくと、ネジ部材６０Ａの先端は被係合凸部Ｔａの曲面状の先端に当接するが、鞍型のカバー部材３０は、ブラケット２２によって挟み込まれて固定されることで、カバー部材３０の頂部に接合された下部パイプ４２は前後左右への動きが規制され、このカバー部材３０に周囲を挟まれた被係合凸部Ｔａについても側方への移動が規制されているため、ネジ部材６０Ａは被係合凸部Ｔａに孔開けしながら挿入することができる。さらにネジ部材６０Ａをねじ込むと、ネジ部材６０Ａの先端は野地板Ｎに達する。さらに、さらにネジ部材６０Ａをねじ込むと、ネジ部材６０の頂部が筒体７０の上面に当接し、その時点でねじ込みは終了する。ネジ部材６０Ａによって、太陽電池パネル留め金具１０Ｂと、凸条係合部Ｔ及び野地板Ｎは強固に固定されることとなる。
【００３８】
最後に、太陽電池パネル留め金具１０Ｂに設けられた取付ボルト２６によって太陽光電池パネルＰの周縁に設けられたフレームＦを固定する。
【００３９】
このように構成された太陽電池パネル留め金具１０Ｂによれば、野地板Ｎに屋根材Ｙを取り付けるビスＢの位置に関わらず、太陽光電池パネルＰに上向きの外力が加わった際に、最も力が加わる太陽電池パネル留め金具１０Ｂの位置において強固に締結することができるので、屋根材Ｙが野地板Ｎから外れることを防止することができる。また、先端が曲面状に形成された凸条係合部Ｔであっても、凸条係合部Ｔの曲面でネジ部材６０Ａが滑り、斜めに締結されることがないため、十分に野地板Ｎとの締結力を発揮することが可能となる。
【００４０】
図１２は引張試験装置９０の構成を概略的に示す説明図、図１３は引張試験装置９０による試験結果を示す説明図である。
【００４１】
図１２に示すように、上述した太陽電池パネル留め金具１０，１０Ｂ及びその他の太陽電池パネル留め金具について、引張試験装置９０から取付ボルト２６に上方への引張力を付与し、屋根材Ｙと野地板Ｎとの結合力を計測した。この試験により、強風に対しての耐力が計測可能となる。
【００４２】
図１３に示すように、４つの試験を行った。なお、グラフにおいて横軸が屋根材Ｙと野地板Ｎとの距離であるストローク（単位：ｍｍ）、縦軸が引張力（単位：ｋＮ）を示している。Ｎｏ．１は図１２における太陽電池パネル留め金具１００Ｘであり、ネジ部材６０を用いていない。Ｎｏ．２は図２における太陽電池パネル留め金具１０であり、ネジ部材６０が用いられている。Ｎｏ．３は比較例のため図示されていないが、図９における太陽電池パネル留め金具１０Ｂにおいて筒体７０が用いられていないものであり、ネジ部材６０Ａが用いられている。すなわち、ネジ部材６０Ａの頂部とベース部材２１との間に筒体７０の高さと同じ寸法の間隔があくこととなる。Ｎｏ．４は図９における太陽電池パネル留め金具１０Ｂであり、ネジ部材６０Ａが用いられている。
【００４３】
図１３に示すように、Ｎｏ．１においては、ビスＢによる締結力のみであり、ネジ部材６０やネジ部材６０Ａによる補強が無いため、比較的弱い引張力において、屋根材Ｙと野地板Ｎとが離間し、引張力が約１．９ｋＮでビスＢが引き抜ける。Ｎｏ．２においては、ビスＢによる締結力に加えて、ネジ部材６０による締結力が同時に引張力に対して作用するため、引張力が約３.０ｋＮでビスＢ及びネジ部材６０が引き抜ける。
【００４４】
Ｎｏ．３においては、当初はビスＢによる締結力のみで屋根材Ｙと野地板Ｎを固定しているため、当初はＮｏ．１と類似するが、屋根材Ｙと野地板Ｎとの離間距離が一定（例えば１０ｍｍ）を超えると、ベース部材２１とネジ部材６０Ｂの頂部とが当接し、ネジ部材６０Ｂの締結力が作用し始める。最終的に、引張力が３．６ｋＮで、ビスＢ及びネジ部材６０が引き抜ける。Ｎｏ．４においては、ビスＢによる締結力が引張力に抵抗すると共に、ネジ部材６０Ｂに緩衝材である筒体７０を介して引張力が作用する。このため、引張力に対する抵抗力が最大に作用し、最終的に約４．３ｋＮで、ビスＢ及びネジ部材６０Ａが引き抜ける。
【００４５】
上述したように、ネジ部材が設けられていない太陽電池パネル留め金具１００Ｘに対し、ネジ部材６０を設けた太陽電池パネル留め金具１０、及び、ネジ部材６０Ａを設けた太陽電池パネル留め金具１０Ｂについては、高い引張力に抵抗して屋根材Ｙと野地板Ｎを強固に固定していることが判る。
【００４６】
なお、本発明は前記実施の形態に限定されるものではない。上述した実施形態においては、太陽光電池パネルを例示したが、屋根上構造物であれば太陽光パネルに限られない。この他、本発明の要旨を逸脱しない範囲で種々変形実施可能であるのは勿論である。
い。この他、本発明の要旨を逸脱しない範囲で種々変形実施可能であるのは勿論である。
【符号の説明】
【００４７】
１０，１０Ａ，１０Ｂ…太陽電池パネル留め金具（屋根上構造物固定金具）、２０…パネル留め金具、２１…ベース部材、２２…ブラケット、２３…締付ボルト、２５…脚部、２６…取付ボルト、３０…カバー部材、３１…カバー本体、３２…緩衝材、４０…ネジ案内パイプ、５０…ボルト案内パイプ、６０，６０Ａ…ネジ部材、Ｎ…野地板、Ｙ…屋根材、Ｔ…凸条係合部、Ｂ…ビス、Ｐ…太陽光電池パネル、Ｆ…ブラケット。
【図１】
2019027156.tif 000003
【図２】
2019027156.tif 000004
【図３】
2019027156.tif 000005
【図４】
2019027156.tif 000006
【図５】
2019027156.tif 000007
【図６Ａ】
2019027156.tif 000008
【図６Ｂ】
2019027156.tif 000009
【図７Ａ】
2019027156.tif 000010
【図７Ｂ】
2019027156.tif 000011
【図８】
2019027156.tif 000012
【図９】
2019027156.tif 000013
【図１０】
2019027156.tif 000014
【図１１】
2019027156.tif 000015
【図１２】
2019027156.tif 000016
【図１３】
2019027156.tif 000017
【図１４】
2019027156.tif 000018
【図１５】
2019027156.tif 000019
【図１６】
2019027156.tif 000020
【図１７】
2019027156.tif 000021
【図１８】
2019027156.tif 000022